(57)【要約】【課題】トラックピッチの変化に対するＤＰＰ信号振幅に関して従来と同等以上のダイナミックレンジを確保しつつ、インライン型ＤＰＰ方式を用いたスーパーマルチ対応の光ピックアップとして実用上十分良好なトラッキング制御性能を備えた光ピックアップあるいは光学的情報再生装置を提供する。【解決手段】レーザ光源から出射した光束を３本の光束に分割する回折格子を、例えば図に示すように４領域に分割し、各領域内で周期的に配置される格子溝をその配置の位相関係が各領域間で所定の位相関係になるように配置する。【選択図】図２
2011090727.tif 000002
【特許請求の範囲】
【請求項１】
レーザ光束を少なくとも３本の光束に分岐する機能を備え、かつ第１及び第２及び第３および第４の少なくとも４つの領域に分割され各領域内で所定の周期構造を備えた回折格子であって、
前記第３および第４の領域は前記第１の領域と第２の領域の間でかつ前記第１の領域と第２の領域の配列方向に対して略垂直な方向に沿って配置され、
前記第２の領域内では前記第１の領域内に備えられた周期構造の位相に対して略１８０度異なる位相を有する周期構造を備え、かつ前記第３の領域内では前記第１の領域内に備えられた周期構造の位相に対して略９０度異なる位相を有する周期構造を備え、かつ前記第４の領域内では前記第３の領域内に備えられた周期構造の位相に対して略１８０度異なる位相を有する周期構造を備えたことを特徴とする回折格子。
【請求項２】
レーザ光源と、
請求項１記載の回折格子と、
該回折格子によって分岐された３本の光束を集光して光学的情報記録媒体の記録面上に各々独立した３個の集光スポットを照射する集光光学系と、
前記３個の集光スポットの前記光学的情報記録媒体からの反射光を各々少なくとも２分割以上に分割された受光面で受光するように配置された光検出器とを具備し、
前記３個の集光スポットを前記光学的情報記録媒体の記録面上に周期的に配置された案内溝に対して略直交する方向に関して略ゼロもしくは前記案内溝周期の略整数倍の間隔で配置したことを特徴する光ピックアップ。
【請求項３】
請求項２記載の光ピックアップを備え、かつ該光ピックアップ内に具備された前記光検出器の各受光面からの出力された信号に所定の演算処理を施すことにより、差動プッシュプル方式によるトラッキング制御信号を検出する機能を備えたトラッキング制御信号検出装置を少なくとも具備したことを特徴とする光学的情報再生装置。
【発明の詳細な説明】
【技術分野】
【０００１】
本発明は、所定の形態を備えた回折格子と、該回折格子を用いかつ光学的情報記録媒体（以下説明を簡略化するため、この光学的情報記録媒体を光ディスクと記す。）の記録面上に照射された光スポットにより、前記光ディスクに情報信号を記録、または既に記録された情報の再生をおこなう機能を備えた光ピックアップと、その光ピックアップを搭載した光学的情報記録または再生装置に係る。
【背景技術】
【０００２】
背景技術として、特許文献１（特開２００８−１９２１９９号公報）がある。特許文献１は、「インライン型ＤＰＰ方式の利点を保持したまま、案内溝のピッチが異なる複数の光情報記録媒体に対して安定したトラッキング誤差検出を行う光ピックアップ装置を実現できるようにすること」を目的とし、この目的を達成するため、「本発明は光ピックアップ装置を、互いに位相が異なる３つの領域に分割され且つ中央の領域が互いに位相が異なる複数のサブブロックに分割された回折格子を備える構成とする」と記載されている。
【先行技術文献】
【特許文献】
【０００３】
【特許文献１】特開２００８−１９２１９９号公報
【発明の概要】
【発明が解決しようとする課題】
【０００４】
同一の光ピックアップによって、ＣＤとＤＶＤなどのような光ディスク記録面上での案内溝間隔すなわちトラックピッチが大幅に異なる複数種類の光ディスクのトラッキング制御信号を良好に検出できる機能を備えた光ピックアップを一般にスーパーマルチ対応光ピックアップと称するが、このスーパーマルチ対応光ピックアップ等に用いられるトラッキング制御信号検出方式としては、例えば上記特許文献１に開示されたような技術がある。これは下記に示すような特殊な周期構造を備えた回折格子４０を光ピックアップ内に具備し、該回折格子格子４０によってレーザ光源を発したレーザ光束を少なくとも３本の光束に分岐させる方式である。
【０００５】
ここで用いられる回折格子４０は、図３に示すようにディスク半径方向（図の水平方向）に対して並列に配置された帯状の４つの領域４１，４２，４３，４４に分割され、個々の領域ではそれぞれ所定の周期構造を備えている。そして格子の左端に配置された第１の領域４１内の周期構造に対して、反対側の右端に配置された第４の領域４４内の周期構造はその位相が互いに略１８０度ずれ、また前記第１および第４の領域間に配置された第２の領域４２と第３の領域４３との周期構造の位相も互いに略１８０度ずれている。さらに前記第１の領域４１とそれに隣接する前記第２の領域４２との周期構造の位相は略９０度ずれている。
【０００６】
このような周期構造を持った回折格子を前記したように光ピックアップの光分岐素子として用いることにより、従来の光ピックアップとは異なり３個の集光スポットを同一の案内溝上に照射した状態で差動プッシュプル方式（以下、簡単のためＤＰＰ方式と記す。）によりトラッキング制御信号（ＤＰＰ信号）を検出できる。そしてその結果、トラックピッチの変化に対するＤＰＰ信号振幅に関して広いダイナミックレンジを確保することができ、ディスクのトラックピッチの違いにほとんど影響を受けることなく常に良好なトラッキング制御を行なうことができる。
【０００７】
なお上記のように、３個の集光スポットを同一の案内溝上に照射した状態でのＤＰＰ方式を特にインライン型ＤＰＰ方式と呼ぶ。
【０００８】
前記したように、前記特許文献１に記載の技術はトラックピッチの変化に対するトラッキング制御信号（ＤＰＰ信号）振幅に関して広いダイナミックレンジを確保することができるが、その一方で、光ディスク記録面上の記録済み領域と未記録領域の境界部分をよぎる際、ＤＰＰ信号に大きなオフセットが生じ、このオフセットによってトラッキング制御が極めて不安定になってしまうという課題がある。
【０００９】
本発明の目的は、以上のような状況に鑑み、トラックピッチの変化に対するＤＰＰ信号振幅に関して上記公知例と同等以上のダイナミックレンジを確保しつつ、光ディスク記録面上の記録済み領域と未記録領域の境界部通過時に生じるＤＰＰ信号のオフセットを良好に低減することで、インライン型ＤＰＰ方式を用いたスーパーマルチ対応の光ピックアップとして実用上十分良好なトラッキング制御性能を備えた光ピックアップあるいは光学的情報再生装置を提供することにある。
【課題を解決するための手段】
【００１０】
上記目的は、上記特許請求の範囲に開示されている手段を用いることで達成できる。
【発明の効果】
【００１１】
本発明によれば、トラックピッチ変化に対するＤＰＰ信号振幅のダイナミックレンジを上記公知例と同等以上に確保し、かつ光ディスク記録面上の記録済み領域と未記録領域の境界部通過時に生じるトラッキング信号のオフセットを良好に低減することで、スーパーマルチ対応として実用上十分良好なトラッキング制御性能を備えた光ピックアップあるいは光学的情報再生装置を実現することができる。
【図面の簡単な説明】
【００１２】
【図１】本発明の第１の実施例である光ピックアップの構成を示した概略正面図。
【図２】本発明に従う回折格子に関する第１の実施例を示した概略平面図。
【図３】従来の回折格子を示した概略平面図。
【図４】第１の実施例におけるディスク上光スポット配置と光検出面上の光ビームパターンおよび信号検出のための演算回路の概略構成を示した図。
【図５】本発明に従う光ピックアップで得られる第１のＤＰＰ信号特性を示した線図。
【図６】本発明に従う光ピックアップで得られる第２のＤＰＰ信号特性を示した線図。
【図７】本発明に従う光ピックアップで得られる第３のＤＰＰ信号特性を示した線図。
【図８】本発明に従う光ピックアップで得られる第４のＤＰＰ信号特性を示した線図。
【図９】本発明に従う光ピックアップで得られる第５のＤＰＰ信号特性を示した線図。
【図１０】本発明に従う光ピックアップで得られる第６のＤＰＰ信号特性を示した線図。
【図１１】本発明に従う光ピックアップで得られる第７のＤＰＰ信号特性を示した線図。
【図１２】本発明に従う光ピックアップで得られる第８のＤＰＰ信号特性を示した線図。
【図１３】本発明に従う回折格子に関する第２の実施例を示した概略平面図。
【図１４】本発明の第２の実施例である光学的情報再生装置または光学的情報記録再生装置の構成を示した概略正面図およびブロック図。
【発明を実施するための形態】
【実施例１】
【００１３】
図１は本発明に従う光ピックアップの一実施例を示した概略構成図である。図中の１は半導体レーザ光源、３はハーフミラーまたはビームスプリッタ、４はコリメートレンズ、５は対物レンズ、６は検出レンズ、１０は光ディスク、２０は所定のパターンで多分割された受光面をもつ光検出器である。対物レンズ５はレンズホルダー１５内に固定され、所定の磁気回路によって構成された２次元アクチュエータ２５によって光軸に沿ったフォーカス方向とディスク半径方向に沿ったトラッキング方向の２方向に駆動するようになっている。半導体レーザ１とハーフミラー３の間に配置されているのが、本発明で用いられる回折格子３０である。半導体レーザ１を発したレーザ光は、この特殊回折格子３０によって０次光および±１次回折光の少なくとも３本の光束に回折分離後、ハーフミラー３を反射してコリメートレンズ４を経て対物レンズ５に達し、この対物レンズ５によって各々独立に光ディスク１０の記録面上に集光されて３個の集光スポットを形成する。この時光ディスク１０の記録面上に集光される３個の集光スポット１００および１０１、１０２は、図４の左側の図に示すように、光ディスク１０上に周期的に設けられた案内溝１１のうち全く同一の案内溝上に同時に照射されるよう略一直線状に配置されている。そして各集光スポットのディスク反射光は、往路とほぼ同様の光路を逆にたどり対物レンズ５、コリメートレンズ４を経てハーフミラー３に到達したのち、その光量の一部がハーフミラー３を透過し、検出レンズ６を経て多分割光検出器２０内に設けられた所定の受光面に入射する。そして多分割光検出器２０内の各受光面から得られた検出信号から所定の演算回路を経てフォーカス制御信号やトラッキング制御信号などの対物レンズ位置制御信号および光ディスク１０の記録面に記録された情報信号などが検出される。この時トラッキング制御信号については、図４の右側の図に示すように、多分割光検出器２０の各受光面２０ａ,２０ｂ，２０ｃで検出された信号から減算器５０ａ，５０ｂ，５０ｃおよび加算器５１、増幅器５２、減算器５３などの演算回路を経ることにより、前記したインライン型ＤＰＰ方式によるトラッキング制御信号が検出される。なおこのインライン型ＤＰＰ方式自体の詳細な説明は省略する。
【００１４】
ところで、図４に示した例では、いずれも光検出器が少なくともディスクの半径方向に直交する方向、いわゆるディスクの接線方向に対応する方向に２分割された受光面を有し、この２分割受光面の各々からの出力信号の差から各集光スポットのプッシュプル信号を検出する構成になっている。通常、プッシュプル信号はディスクの半径方向に対応する方向に２分割された受光面からの出力信号の差信号から検出されるのが一般的である。しかしながら、図４はフォーカス制御信号の検出方式として非点収差方式を採用した例を示しているため、検出器の受光面上の光スポットは強度分布が光軸回りに略９０度回転してしまっている。このためプッシュプル信号は各図に示すように、ディスクの接線方向に対応する方向に２分割された受光面からの出力信号の差から検出するようになっている。なお、上記したような非点収差方式によるフォーカス制御信号検出手段とＤＰＰ方式によるトラッキング制御信号検出手段を組み合わせた場合の検出器受光面配置については、詳細な説明は省略する。
【００１５】
ところで、図４に示す本発明の第１の実施例における光学系構成および集光スポット配置は、既に開示されている従来のインライン型ＤＰＰ方式によるピックアップと何ら変わるところは無いが、半導体レーザ光源を出射したレーザ光束を３本のレーザ光束に回折分離するために配置された回折格子３０の格子パターンが、明らかに従来のインライン型ＤＰＰ方式に用いられる回折格子パターンと異なっている。
【００１６】
図２は、本発明における回折格子３０の格子パターンの第１の実施例を示した概略平面図である。この回折格子には直線状の凹凸溝が周期的に形成されている。（例えば、図中の黒帯部が凹部で白帯部が凸部もしくはその逆で表される。）しかも、格子溝が形成されている格子面は３１、３２、３３、３４の４領域に分割されている。すなわち３１と３２および３３と３４は、ディスクの半径方向に相当する方向（図の水平方向）に並列した配置で分割されており、さらに中央帯部分は光軸中心を通る水平な分割線によりディスクの接線方向の相当する方向（図の垂直方向）に並列するように領域３２と領域３３に２分割されている。
【００１７】
そしてこの４分割された各領域は、周期的に形成された凹凸溝の配置状の位相関係が互いに異なっている。すなわち、左右両端の領域３１と３４の格子溝配置は、その位相が互いに１８０度ずれている。すなわち領域３１と領域３４とでは、格子溝の凸部と凹部の配置が逆転している。一方、領域３２の格子溝配置は、領域３１および領域３４の格子溝配置の中間の位相になっている。つまり領域３２での格子溝配置は、領域３１の格子溝配置に対して位相が＋９０度ずれており、領域３４の格子溝配置に対しては位相が−９０度ずれている。これに対して領域３３の格子溝配置は、領域３２の格子溝配置に対してその位相が１８０度ずれている。すなわち領域３２と領域３３とでは、格子溝の凸部と凹部の配置が逆転している。
【００１８】
以上のように、本実施例における回折格子３０は、極めて特殊な格子パターンを具備している。なお前記したように図４に、従来におけるインライン型ＤＰＰ方式用の回折格子４０の格子パターン（この図４においても図中の黒帯部が格子溝の凹部で白帯部が凸部もしくはその逆で表されている）を示しているが、本実施例の回折格子３０は、この従来公知例に対しても明らかに異なる格子パターンを具備している。
【００１９】
なお図３において、中央帯部の領域３２および３３の横幅Ｗについては、この回折格子に入射するレーザ光束直径の１０％乃至４０％程度に設定するのが望ましい。
【００２０】
次に本発明の有効性について、図５乃至図１２を用いて説明する。
【００２１】
まず図５乃至図７は、対物レンズのトラッキング方向（ディスク半径方向）への変位量とそれに伴うＤＰＰ信号振幅の変化の関係を示したグラフである。通常インライン型ＤＰＰ方式では、ＤＰＰ信号すなわちトラッキング制御信号の信号振幅が低下してしまうという特性がある。このような特性は一般にトラッキング制御信号の視野特性と称し、トラッキング制御信号検出方式としての性能の優劣を決める重要な要因となっている。すなわち対物レンズのトラッキング方向変位に伴うＤＰＰ信号振幅の低下量が小さければ小さいほど視野特性は良好であると言え、トラッキング制御信号検出方式として良好な性能を持っているものと判断できる。
【００２２】
図５乃至図７は、このＤＰＰ信号の視野特性について、本実施例すなわち図３で示した回折格子を用いた場合と、従来の回折格子すなわち図４で示した回折格子を用いた場合とを比較するために行なった計算機シミュレーションの結果をグラフ化した図である。図の横軸はいずれも対物レンズのトラッキング方向変位量を、縦軸はＤＰＰ信号すなわちトラッキング制御信号振幅を示している。ただし縦軸については、対物レンズ変位０ｍｍにおける信号振幅を１とした場合の相対値で表している。また図５はディスクの案内溝ピッチＴｐが０．７４μｍであるＤＶＤ−ＲまたはＲＷディスクを再生した場合、図６はディスクの案内溝ピッチＴｐが１．２３μｍであるＤＶＤ−ＲＡＭディスクを再生した場合、図７はディスクの案内溝ピッチＴｐが１．６μｍであるＣＤ−ＲまたはＲＷディスクを再生した場合を示している。さらに図５および図６はＤＶＤ系のディスクを再生した場合なので、レーザ光束の波長を６６０ｎｍ、対物レンズの開口数を０．６５と設定し、図７はＣＤ系のディスクなので、レーザ光束の波長を７８５ｎｍ、対物レンズの開口数を０．５３と設定して計算機シミュレーションを行なった。（他の設定パラメータについては、本発明と直接関係ないので説明は省略する。）
図５乃至図７からわかるように、同一の回折格子を用いた場合においても案内溝ピッチが異なる３種類のディスクの全てについて、ＤＰＰ信号すなわちトラッキング制御信号が検出できている。これが、インライン型ＤＰＰ方式の最大の特長であるが、さらに言うと本発明の回折格子を用いた場合と従来の回折格子を用いた場合を比較すると、本実施例の回折格子を用いた場合の方が、ほぼ同等もしくは若干良好な視野特性になっている。
【００２３】
次に図８乃至図１０は、ディスクの偏芯量とそれに伴うＤＰＰ信号振幅の変化の関係を示すグラフである。通常ＤＰＰ方式では、インライン型である無いに関わらず、ディスクの偏芯、すなわち円周状に刻まれたディスク案内溝の中心軸とディスクの回転中心軸とに偏差がある場合に、ディスクの回転周期に同期してＤＰＰ信号すなわちトラッキング制御信号の信号振幅が周期的に変動してしまうという特性がある。しかもこの周期的変動量は、ディスク偏芯量の大きさに伴い拡大してしまうという課題がある。このような特性は一般にトラッキング制御信号の偏芯特性と称し、先に説明した視野特性と共にトラッキング制御信号検出方式としての性能の優劣を決める重要な要因となっている。すなわちディスク偏芯に伴うＤＰＰ信号振幅の周期的変動の変動幅が小さければ小さいほど偏芯特性は良好であると言え、トラッキング制御信号検出方式として良好な性能を持っているものと判断できる。
【００２４】
図８乃至図１０は、このＤＰＰ信号の偏芯特性について、本実施例すなわち図３で示した回折格子を用いた場合と、従来の回折格子すなわち図４で示した回折格子を用いた場合とを比較するために行なった計算機シミュレーションの結果をグラフ化した図である。図の横軸はいずれもディスクの偏芯量を、縦軸はディスクが１回転する間に周期的に変動するＤＰＰ信号振幅の最小振幅値を示している。ただし縦軸については、ディスクが１回転する間に周期的に変動するＤＰＰ信号振幅の最大振幅値を１とした場合の相対値で表している。すなわち、この縦軸の値が１に近ければ近いほどＤＰＰ信号振動の変動幅が小さいと判断できる。また先の視野特性の場合と全く同様に、図８はディスクの案内溝ピッチＴｐが０．７４μｍであるＤＶＤ−ＲまたはＲＷディスクを再生した場合、図９はディスクの案内溝ピッチＴｐが１．２３μｍであるＤＶＤ−ＲＡＭディスクを再生した場合、図１０はディスクの案内溝ピッチＴｐが１．６μｍであるＣＤ−ＲまたはＲＷディスクを再生した場合を示している。さらに計算機シミュレーションでの主な設定パラメータ、すなわち使用レーザ光の波長や対物レンズの開口数についても、先に述べた視野特性のグラフすなわち図５乃至図８で説明した値と全く同様の値を用いている。
【００２５】
図８乃至図１０からわかるように、先に説明した視野特性の場合と全く同様、本実施例の回折格子を用いた場合と従来の回折格子を用いた場合では、本実施例の回折格子を用いた場合の方がほぼ同等もしくは若干良好な偏芯特性を示している。
【００２６】
以上説明したように、視野特性と偏芯特性で、本実施例の回折格子は従来の回折格子に対して同等もしくは若干良好な特性を備えている。
【００２７】
次に図１１および図１２は、ディスクの未記録領域と記録済み領域との境界部分を光スポットが通過した場合に発生するＤＰＰ信号波形そのものを示したグラフである。通常ＤＰＰ方式では、インライン型である無いに関わらず、記録型ディスクの未記録領域と記録済み領域との境界部分を光スポットが通過する際、ＤＰＰ信号波形に乱れが生じ信号自体にオフセットが発生してしまうという課題がある。これは未記録領域と記録済み領域で入射レーザ光に対する平均の反射率が異なる（一般には記録済み領域の方が、未記録領域よりも平均反射率が低い。）事に起因する現象で、そのオフセット量の大きさはＤＰＰ信号の検出方式によって左右される。またこのＤＰＰ信号のオフセットは、対物レンズがトラッキング方向すなわちディスク半径方向に変位した場合により顕著に表れることがわかっている。そして当然のことながら、この境界部分で発生するＤＰＰ信号のオフセット量も先に説明した視野特性や偏芯特性と同様に、トラッキング制御信号検出方式としての性能の優劣を決める重要な要因となっている。すなわち境界部分で発生するＤＰＰ信号のオフセット量が小さければ小さいほど、トラッキング制御信号検出方式として良好な性能を持っているものと判断できる。
【００２８】
図１１および図１２は、この記録／未記録境界通過時におけるＤＰＰ信号波形について、本実施例すなわち図３で示した回折格子を用いた場合と、従来の回折格子すなわち図４で示した回折格子を用いた場合とを比較するために行なった計算機シミュレーションの結果をグラフ化した図である。図の横軸は、どちらもディスク上の光スポット位置を記録／未記録境界線から距離で表している。また縦軸は、どちらも各光スポット位置におけるＤＰＰ信号レベルを示している。ただし縦軸については、未記録領域におけるＤＰＰ信号レベルの最大値を１とした場合の相対値で表している。なお、対象のディスクはどちらもＤＶＤ−ＲＷディスク（案内溝ピッチ＝０．７４μｍ）を想定している。したがって、使用レーザ光の波長は６６０ｎｍ、対物レンズの開口数＝０．６５として計算機シミュレーションを行なった。また図１１は、対物レンズをトラッキング方向すなわちディスク半径方向の一方の向きに０．３ｍｍ変位させた場合で、図１２は、図１１とは反対向きに０．３ｍｍ変位させた場合を示している。
【００２９】
この図１１および図１２を見ると、明らかに本実施例の方がディスクの記録／未記録境界通過直後のＤＰＰ信号のオフセット量が小さくなっている。
【００３０】
例えば図１１では、光スポットがディスクの未記録領域から記録領域へ変位した直後の信号レベル最大点を本実施例の格子を用いた場合（点Ｐ）と従来公知例の格子を用いた場合（点Ｐ’）で比較した場合、従来の格子を用いた場合は下側へのオフセット量が大きく、その結果、点Ｐ’は横軸（ゼロレベル）をよぎる事ができないでいる。一般にトラッキング制御は、トラッキング制御信号すなわちＤＰＰ信号がゼロレベルに引き込むよう制御をかける。従って、この点Ｐ’のようにＤＰＰ信号レベルが明らかにゼロレベルをよぎらない場合、この時点でトラッキング制御の引き込みは明らかに破綻してしまう。一方、本実施例の格子を用いた場合は、発生するオフセット量が小さいため、ＤＰＰ信号レベルの最大点Ｐは図中に示すように完全にゼロレベルをよぎって上側にきているため、トラッキング制御の引き込み動作を問題なく実行させることができる。
【００３１】
さらに図１２では、従来の格子を用いた場合、未記録領域から記録領域へ変位した直後の信号レベルに上側への大きなオフセットが加わり、ＤＰＰ信号レベル最小点Ｑ’が図のように横軸（ゼロレベル）に接する程度で、ゼロレベルをよぎらなくなってしまうと、図１１の場合と同様、トラッキング制御の引き込みは明らかに破綻してしまう。一方、本実施例の格子を用いた場合は、図中の点Ｑのように完全に横軸（ゼロレベル）をよぎって下側に来るため、トラッキング制御の引き込み動作を問題なく実行させることができる。
【００３２】
以上述べたように、本実施例に示す回折格子は、前記視野特性および偏芯特性において、従来の回折格子とほぼ同等または若干良好な特性を備え、かつディスクの未記録／記録済み境界部分通過時のＤＰＰ信号波形のオフセットについては、従来の回折格子に比して明らかに良好な特性を備えている。したがって総合的に評価して、本発明に示す回折格子は、インライン型ＤＰＰ方式によるトラッキング制御信号検出手段として従来よりも良好な性能を備えている。 
上記第１の実施例では、図２に示すように中央部帯部が図の上下方向に２分割された例を述べたが、本発明はこれに限定されるものではない。例えば図１３に示すように中央帯部が３２ａと３２ｂと３３の３領域（それぞれ図中において破線で囲まれている）に分割された回折格子でも構わない。この場合は図に示すように、中央領域３３を図の上下方向すなわちディスク接線方向に対応する方向から領域３２ａと領域３２ｂで挟み込む配置となっている。そして各領域内に周期的に設けられている格子溝は、領域３２ａ内と３２ｂ内で同一の位相で配置されており、中央領域３３の格子溝配置は、それに対して位相が１８０度ずれて配置されている。すなわち領域３２ａおよび３２ｂと領域３３とでは、周期的に配置されている格子溝の凸部と凹部の配置が逆転している。
【００３３】
このような格子溝配置を備えた回折格子を用いても、実施例１と同様の性能を得ることができる。
【００３４】
なお図１３に示すような回折格子においても、中央帯部の領域３２ａ、３２ｂおよび３３の横幅Ｗについては、この回折格子に入射するレーザ光束直径の１０％乃至４０％程度に設定するのが望ましい。
【００３５】
また本発明は、図２および図１３に示したような構成の回折格子に限定されるものではなく、中央帯部をさらに４領域以上に多分割したような構成であっても一向に構わない。この場合、図の上下方向に多分割された各領域内の格子溝配置は、互いに隣接する領域間でその位相関係が１８０度ずれるように配置される。このような格子溝配置をとることで、上記実施例１で示した回折格子と同等の性能を得ることができる。
【実施例２】
【００３６】
最後に、本発明に従う光ピックアップを搭載した光学的情報再生装置または光学的情報記録再生装置に関する実施例を図１４に示す。
【００３７】
６０は、例えば図１の実施例に示すような構成を有する光ピックアップである。なおこの光ピックアップ６０には、光ディスク１０の半径方向（内外周方向）にその位置をスライドできる機構が設けられており、アクセス制御回路７２からのアクセス制御信号に応じて位置制御がおこなわれる。
【００３８】
レーザ点灯回路７６からは所定のレーザ駆動電流が光ピックアップ６０内の半導体レーザ光源に供給され、所定の光量でレーザ光が出射する。また光ピックアップ６０内の所定の光検出器から検出された各種サーボ信号および情報信号は、サーボ信号生成回路７４及び情報信号再生回路７５に送られる。サーボ信号生成回路７４では、これら検出信号からフォーカスエラー信号やトラッキングエラー信号が生成され、これを基にアクチュエータ駆動回路７３を経て光ピックアップ６０内の２次元アクチュエータを駆動することにより、対物レンズの位置制御がおこなわれる。また情報信号再生回路７５では前記検出信号から光ディスク１０に記録された情報信号が再生される。
【００３９】
なお前記サーボ信号生成回路７４及び情報信号再生回路７５で得られた信号の一部はコントロール回路７０に送られる。このコントロール回路７０には、レーザ点灯回路７６やアクセス制御回路７２、スピンドルモータ駆動回路７１など接続されており、それぞれ光ピックアップ６０内の半導体レーザ発光光量の制御、アクセス方向および位置の制御、光ディスク１０を回転させるスピンドルモータ７７の回転制御等が行われる。また、コントロール回路７０の内部には前記サーボ信号生成回路７４及び情報信号再生回路７５で得られた信号から光ディスクの種類を判別するディスク判別回路(図示せず)が、設けられており、その判別結果から例えばサーボ信号生成回路７４の内部に備えられたＤＰＰ信号生成回路(図示せず)のサブプッシュプル信号すなわちサブ光スポットから得られたプッシュプル信号の増幅ゲイン(前記Ｋ２に相当)等を自動的にコントロールできるようになっている。
【００４０】
以上のような実施例によれば、トラックピッチが異なる複数種類の光ディスクの記録、再生において、対物レンズの変位に伴うトラッキングエラー信号の振幅劣化や残留するオフトラック量が良好に改善された実用的なトラッキングエラー信号を検出できるので、高汎用性、高信頼性を備えた光ピックアップやそれを用いた光学的情報記録または再生装置を実現することができる。
【００４１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４２】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４３】
１…半導体レーザ光源，７…対物レンズ，８…光ディスク，２０…光検出器，３０，４０…回折格子
【図１】
2011090727.tif 000003
【図２】
2011090727.tif 000004
【図３】
2011090727.tif 000005
【図４】
2011090727.tif 000006
【図５】
2011090727.tif 000007
【図６】
2011090727.tif 000008
【図７】
2011090727.tif 000009
【図８】
2011090727.tif 000010
【図９】
2011090727.tif 000011
【図１０】
2011090727.tif 000012
【図１１】
2011090727.tif 000013
【図１２】
2011090727.tif 000014
【図１３】
2011090727.tif 000015
【図１４】
2011090727.tif 000016